(57)【要約】【課題】占有スペ−スが少なく、小型化が可能であって、ズームレンズのガタが適切に除去できるズームファインダを提供する。【解決手段】このズームファインダは、第１，２ズームレンズ枠１８，１９を進退駆動するための接合カム部材として第１カム１４と第２カム１５を有しており、第１，２カムは、互いに結合した状態で駆動軸１１に回転自在に支持されている。上記第１，２ズームレンズ枠は、ガイド軸２０に摺動自在に支持されており、第１，２カム１４，１５により進退駆動される。上記第１，２ズームレンズ枠の間には、レンズ付勢バネ２１が取り付けられており、そのフック部２１ａ，２１ｂは、バネ自由状態で外側に傾斜して形成されている。該フック部が懸架された第１，２ズームレンズ枠は、外側に上記ガイド軸との隙間分だけ傾斜して支持されるのでガイド軸に対してガタのない状態で摺動可能となる。【選択図】    図２
2004264699.tif 000002
【特許請求の範囲】
【請求項１】
カム部により光軸方向の定められた位置を移動する１組のズームレンズと、
上記ズームレンズの光軸方向の移動自在に支持するガイド軸と、
上記１組のズームレンズに設けられ、上記ガイド軸が嵌合する嵌合穴が具えられたた嵌合部と、
上記嵌合穴の間の挟まれ、かつ、上記ガイド軸に巻回されように具えたれ、上記１組のズームレンズを互いに光軸方向に接近、または、離反するように付勢するコイルバネと、
を備え、上記コイルバネの両端には、上記嵌合部にそれぞれ係合する係合部が形成され、上記係合部が上記係合部に対してそれぞれ光軸方向に直交する軸回りの互いに逆方向のモーメントを与えるように、バネ自由状態でコイルバネ端面からコイル軸心方向に変位した位置に形成されていることを特徴とするズーム光学装置。
【発明の詳細な説明】
【０００１】
【発明の属する技術分野】
本発明は、ズーム光学装置の構造に関する。
【０００２】
【従来の技術】
従来のカメラのズーム光学装置の１つとして、例えば、ズームファインダは、撮影レンズのズーム比に連動してファインダ内のズームレンズが所定の位置に移動するよう構成されている。すなわち、上記ファインダーのズームレンズは、通常２枚以上あり、複数枚のレンズ群が撮影レンズのズーム位置に対応した各ズーム位置にレンズガイド部に沿って移動する。ズームファインダ内には、上記ズームレンズの一部に当接し、該レンズを移動させるための移動位置変換カムが設けられる。そして、上記変換カムに当接する上記ズームレンズの移動方向（光軸方向）のガタを取り除くために対となる上記ズームレンズにはレンズガイド部近傍に上記ズームレンズを移動方向に付勢するレンズ付勢バネが懸架されている。なお、上記ズームレンズには、上記レンズガイド部回りの回転を規制する回転止めが設けられる。
【０００３】
上記ファインダのズームレンズのガタとして上記光軸方向のガタの他に３方向のガタが存在する。いま、光軸方向（レンズガイド方向）をＺ軸、上下方向の軸をＹ軸、左右方向の軸をＸ軸とすると、Ｚ軸まわりのガタによって生じるレンズのずれを偏心と称し、Ｙ軸回りの回転ガタをヨーあおり（水平あおり）と称し、Ｘ軸回りの回転ガタをピッチあおり（倒れあおり）と称する。上記偏心や各ガタは、ファインダ画質、特にズーム作動中のファインダ画質を確保するために、除去しなければならない。
上記ピッチあおりと、ヨーあおりとは、主にレンズの軸受け部（嵌合部）とレンズガイドに所定の隙間が存在することによって発生する。上記軸受け部（嵌合部）とレンズガイドの隙間は、温度変化を考慮すると所定の隙間は確保しなければならない。また、コンパクト化の点からは、上記軸受け部をより短くする必要があるが、短くすることで上記あおり量は増大する。また、上記偏心は、上記回転止めの精度に応じて発生する。これらを効率よく除去するための提案として、特許文献１に開示されたファインダ調整機構は、上記レンズ付勢バネを光軸方向に斜めになるようにかけて、ピッチあおりも除去する構造を適用するものである。また、特許文献２に開示されたカメラのファインダ機構は、上記レンズ付勢バネの両端を腕部として、レンズをガイド部まわりに付勢し、レンズのガタによる偏心を抑える構造を有する。
【０００４】
【特許文献１】
特許文献１は、特許公開公報２００２−６２５６２号である。
【０００５】
【特許文献２】
特許文献２は、特許公開公報平６−２５０２６３号である。
【０００６】
【発明が解決しようとする課題】
上述した特許文献１によるファインダ調整機構では、偏心とヨーあおりを除去できない。また、レンズのガタ取りのためにバネをレンズに対して斜めに懸架する構造を用いており、占有スペ−スが大きく、ファインダ機構のコンパクト化に問題がある。
【０００７】
一方、特許文献２のファインダ機構では、レンズの偏心を抑えられるが、ヨーあおりとピッチあおりを除去することができない。また、レンズ同士を光軸方向に離反させるためのコイルバネのねじり方向の回転力によってレンズ偏心を除去する力を発生させるようになっており、レンズ同士を光軸方向に離反する力と上記レンズ偏心を除去する力とを独立した力で設定できない。したがって、適正な力量設定が困難であるという問題もある。
【０００８】
本発明は、上述した問題に鑑みなされたもので、占有スペ−スが少なく、小型化が可能であって、ズームレンズのガタが適切に除去できるズーム光学装置を提供することを目的とする。
【０００９】
【課題を解決するための手段】
本発明の請求項１記載のズーム光学装置は、カム部により光軸方向の定められた位置を移動する１組のズームレンズと、上記ズームレンズの光軸方向の移動自在に支持するガイド軸と、上記１組のズームレンズに設けられ、上記ガイド軸が嵌合する嵌合穴が具えられたた嵌合部と、上記嵌合穴の間の挟まれ、かつ、上記ガイド軸に巻回されように具えたれ、上記１組のズームレンズを互いに光軸方向に接近、または、離反するように付勢するコイルバネとを備えており、上記コイルバネの両端には、上記嵌合部にそれぞれ係合する係合部が形成され、上記係合部が上記係合部に対してそれぞれ光軸方向に直交する軸回りの互いに逆方向のモーメントを与えるように、バネ自由状態でコイルバネ端面からコイル軸心方向に変位した位置に形成されている。
【００１０】
【発明の実施の形態】
以下、本発明の実施の形態を図に基づいて説明する。
図１は、本発明の一実施形態のズーム光学装置としてのズームファインダの概略の配置を示す図であって、ズームファインダを底面側から見た模式的斜視図である。
【００１１】
本実施形態のズームファインダ１は、図１に示すようにファインダ本体２内に収納され、対物レンズ３と、対物レンズ３で取り込まれた被写体光をファインダレンズ部側に反射して出射するプリズム４と、後述するファインダ光学系部６を撮影レンズ系側に連動させて進退させるためのファインダ駆動機構部５と、進退可能な上記ズームファインダ光学系部６と、接眼レンズ８とを有してなる。
【００１２】
本実施形態のズームファインダ１を構成する上記ファインダ駆動機構部５および進退可能なファインダ光学系部６について、図２〜１３を用いて詳細に説明する。
【００１３】
図２は、上記ズームファインダの要部を図１のカメラ底面側のＰＢ  から見たときの分解斜視図である。図３は、上記ズームファインダを構成するファインダ駆動機構部とファインダ光学系部を図１のカメラ底面側のＰＡ  から見た下面図である。図４は、上記ファインダ光学系部を図１のカメラ底面側のＰＡ  から見た斜視図である。図５は、ファインダ駆動機構部における第１カムの一部の展開図であり、図６は、カム結合部まわりを示す図である図５のＢ−Ｂ断面図である。図７は、ファインダ駆動機構部の第２カムの一部の展開図であり、図８は、カム結合部まわりを示す図である図７のＣ−Ｃ断面図である。図９は、上記カム結合部断面図である。図１０は、上記第１カムと駆動板との各回転状態を示す図である図３のＡ−Ａ断面図であって、図１０（Ａ）がテレ回動位置にあるとき、図１０（Ｂ）がワイド回動位置にあるとき、図１０（Ｃ）は、第１カムがワイド回動位置に止まり、駆動板が沈胴対応位置まで回転した状態を示す。図１１は、上記ファインダ光学系部におけるレンズ付勢バネの自由状態を示す図である。図１２は、上記レンズ付勢バネを装着した状態を示す図である。図１３は、上記レンズ付勢バネにおける力の作用状態を示す図である。
【００１４】
なお、以下の説明において、ズームファインダ光学系の光軸をＯｆとし、光軸Ｏｆと平行である後述する駆動軸１１の軸心をＺ軸、その方向をＺ方向とし、後述するガイド軸２０の軸心をＺ′軸、その方向をＺ′方向とする。そして、Ｚ軸，Ｚ′軸と垂直な上下方向をＹ、または、Ｙ′方向とし、Ｚ軸，Ｚ′軸と垂直な左右方向をＸ方向、または、Ｘ′方向とする。但し、上下、または、左右は、図２上の方向で示すものとする。また、光軸Ｏｆの対物側を前方とし、接眼側を後方とし、回転方向は、前方より見たときの回転方向で示す。
【００１５】
本実施形態のズームファインダ１を構成するファインダ駆動機構部５は、カメラ側撮影レンズ系のズーム駆動に連動してファインダ光学系部６を進退駆動し、さらに、上記撮影レンズ系の沈胴駆動領域では、ファインダズーム光学系部６の進退駆動を停止させた状態を維持することができるファインダ駆動機構部である。さらに、ファインダ駆動機構部５に適用されるカム部は、カム圧力角をより小さく設定するために広範囲の回動角度が回動可能な結合カム構造を採用するものである。
【００１６】
上記ファインダ駆動機構部５は、図２，３に示すようにファインダ本体２に軸支される回転軸としての駆動軸１１と、上記駆動軸１１の両端に固定支持される駆動ギヤ１２および駆動板１３と、カム付勢バネ１７と、駆動軸１１に対して相対回転可能に嵌入、支持され、円筒状カム部材を構成するカム部品としての第１カム１４および第２カム１５とを有してなる。
【００１７】
上記駆動軸１１は、両端部にＤ型軸端部１１ａ，１１ｂと，Ｅリング溝１１ｃ，１１ｄと、段部１１ｅとを有し、ファインダ本体２に対して光軸Ｏｆと平行なＺ軸に沿った状態で回転自在に支持されている。
【００１８】
上記駆動ギヤ１２は、駆動軸１１の先端に嵌合可能なＤ型軸穴１２ａを有しており、図示しないギヤ列を介して撮影レンズ系の沈胴駆動を含むズーム駆動に連動して回転駆動される。
【００１９】
上記駆動板１３は、Ｄ型軸穴１３ａと第１カム１４側に突出する駆動突起１３ｂを有している。
【００２０】
上記カム付勢バネ１７は、両端にフック部１７ａ，１７ｂを有するコイル状トーションバネであって、軸方向にも圧縮可能である。
【００２１】
上記第１カム１４は、樹脂等の射出成型による部材であり、駆動軸１１に回転自在に嵌入する軸穴１４ａと、軸穴１４ａを軸心とする光軸に対する傾斜面を有する円筒カム面であるカム面１４ｂと、第２カム１５との接合面を形成するカム接合面１４ｃと、第２カム１５と結合する部分であって、第２カム１５との相対的な回転を規制するための規制面を形成する結合凹部１４ｄと、駆動板１３側に突出し、駆動板１３の駆動突起１３ｂに当接，離間可能で、かつ、ファインダ本体側ストッパ２ａにも当接可能な突起１４ｅとを有している。
【００２２】
上記第１カム１４の展開形状は、図５に示されるが、この第１カム１４を成型時にはカム面１４ｂのリード方向Ｓに沿って型抜きがなされる。したがって、上記結合凹部１４ｄの少なくとも一辺は、上記リード方向Ｓに沿った傾斜面を有し、上記型抜きを可能にしている。なお、上記カム面１４ｂは、後述する第１ファインダレンズ枠１８のカムフォロア部１８ｃが摺接するカム面であって、該カム面上に成型時のパーティングラインは存在しない。
【００２３】
上記第２カム１５は、樹脂等の射出成型による部材であり、駆動軸１１に回転自在に嵌入する軸穴１５ａと、軸穴１５ａを軸心とする光軸に対する傾斜面を有する円筒カム面であるカム面１５ｂと、第１カム１４との接合面を形成するカム接合面１５ｃと、第１カム１４と結合する部分であって、第１カム１４との相対的な回転を規制するための規制面を形成する結合凸部１５ｄとを有している。
【００２４】
図６に上記第１カム１４の結合凹部１４ｄの断面形状が示され、一方、図８に上記第２カム１５の結合凸部１５ｄの断面形状が示されている。上記結合凹部１４ｄと上記結合凸部１５ｄとは、図９の断面図に示すように嵌合し、結合される。
【００２５】
上記第２カム１５の展開形状は、図７に示されるが、この第２カム１５を成型時にはカム面１５ｂのリード方向Ｓに沿って型抜きがなされる。したがって、上記結合凸部１５ｄの少なくとも一辺は、上記リード方向Ｓに沿った傾斜面を有しており、上記型抜きを可能にしている。なお、カム面１５ｂは、後述する第２ファインダレンズ枠１９のカムフォロア部１９ｃが摺接するカム面であって、該カム面上に成型時のパーティングラインは存在しない。
【００２６】
上記ファインダ駆動機構部５において、上記駆動ギヤ１２は、ファインダ本体２に回転自在に軸支される駆動軸１１の後端部のＤ型軸端部１１ａに嵌入し、端部をＥ型止め輪で固定した状態で固定される。その前方側に段部１１ｅに当接する第２カム１５が回転自在に嵌入され、さらに、その前方に第１カム１４が回転自在に嵌入される。駆動軸１１に嵌入した第２カム１５と第１カム１４とは、結合凸部１５ｄを結合凹部１４ｄに嵌合させ、かつ、双方のカム接合面１５ｃと１４ｃとを当接、接合させて、両者の相対回転が規制された状態で一体化される。この接合状態で相対するカム面１４ｂとカム面１５ｂを有する１つの結合ファインダカムが形成される。
【００２７】
上記第１カム１４の前方側には、駆動軸１１のＤ型軸端部１１ａに嵌合し、端部をＥ型止め輪で規制され、固定された駆動板１３が挿入されている。この駆動板１３と第１カム１４の間には、カム付勢バネ１７が軸方向に圧縮チャージされ、かつ、駆動軸１１まわりに捻られたチャージされた状態で介在し、装着される。
【００２８】
上記カム付勢バネ１７の装着状態では、カム付勢バネ１７のフック部１７ｂは、第１カム１４の突起１４ｅに当接し、カム付勢バネ１７のフック部１７ａは、駆動板１３の駆動突起１３ｂに当接している。カム付勢バネ１７には、捻りトルクがチャージされているので第１，２カムによるズーム駆動中、駆動突起１３ｂと突起１４ｅとは、ズーム駆動中、上記チャージされた捻りトルク（捻りチャージモーメントｍ０  ）で互いに当接した状態に保持される。上記捻りチャージモーメントｍ０  は、ズーム駆動時には第１，２カム１４，１５がカム面１４ｂ，１５ｂを介して受ける負荷トルクよりも大きく設定されているので、駆動突起１３ｂと突起１４ｅとが離れることがない。したがって、ズーム駆動中、駆動板１３の回動位置と第１，２カム１４，１５の回動位置との位相ずれが生じることがなく、常に撮影レンズ系のズームに対応したファインダのズーミングが行われる。但し、撮影レンズ系が沈胴領域を進退している駆動区間では、第１カム１４がファインダ本体によって回動が規制されるので後述するように駆動板１３のみが回動し、上記カム付勢バネ１７が捻り変形することにより第１，２カム１４，１５は上記回動規制された停止位置（ワイド位置）に保持される。
【００２９】
なお、上記第１，２カム１４，１５がカム面１４ｂ，１５ｂを介して受ける負荷（回転）トルクは、後述する第１，２ズームレンズ枠１８，１９のカムフォロア部１８ｃ，１９ｃを介して受ける負荷によるトルクあって、その負荷は、カム面１４ｂ，１５ｂの傾斜による負荷や後述するレンズ付勢バネ２１の付勢力による負荷や第１，２ズームレンズ枠１８，１９の摺動抵抗による負荷等を加え合わせたものである。
【００３０】
また、カム付勢バネ１７の圧縮チャージ力ｆ０  によって駆動板１３に対して第１カム１４が第２カム１５側に常時付勢され、第２カム１５は、駆動軸１１の段部１１ｅにより後方への移動が規制されていることから、第１カム１４が第２カム１５とは、軸方向と回転方向にガタのない状態で保持される。
【００３１】
上記カム付勢バネ１７の圧縮チャージ力ｆ０  、すなわち、カム結合方向への押圧力量は、後述する第１，２ズームレンズ枠１８，１９のカムフォロア部１８ｃ，１９ｃがカム面１４ｂ，１５ｂの傾斜面に当接し、係合することによって生じ、第１，２カム１４，１５を離間させる軸方向の力と、第１，２カム１４，１５の回転力によってカム傾斜面で発生するカムを離間させる軸方向の分力とを加えた力量より大きく設定されている。したがって、第１，２カム１４，１５により第１，２ズームレンズ枠１８，１９を進退駆動する場合、第１，２カム１４，１５間の接合部が離れる状態が生じない。
【００３２】
一方、上記ファインダ光学系部６は、光軸Ｏｆと平行なＺ′軸に沿ってファインダ本体２に固定支持されるガイド軸２０と、ガイド軸２０にそれ進退可能に支持される第１ズームレンズ枠１８および第２ズームレンズ枠１９と、ズームレンズを付勢するレンズ付勢バネ２１とを有してなる。
【００３３】
上記第１ズームレンズ枠１８は、嵌合部であるボス部１８ｆと、該ボス部１８ｆに設けられ、ガイド軸２０に摺動自在に嵌入する嵌合穴である軸穴１８ａと、上記ボス部１８ｆ右側端にて外方に突出するバネ係止部１８ｄと、軸穴１８ａの下方に偏倚して配置されるズームレンズ部１８ｂと、ズームレンズ部１８ｂの斜め右下部に突出する突起１８ｅと、軸穴１８ａの左方に突出して配置されるカムフォロア部１８ｃとを有している。上記カムフォロア部１８ｃは、ファインダ組み付け状態にて第１カム１４のカム面１４ｂに常時当接し、摺動可能であり、カム面１４ｂによりＺ′方向に駆動される。
【００３４】
上記第２ズームレンズ枠１９は、嵌合部であるボス部１９ｆと、該ボス部１９ｆに設けられ、ガイド軸２０に摺動自在に嵌入する嵌合穴である軸穴１９ａと、上記ボス部１９ｆ右側端にて外方に突出するバネ係止部１９ｄと、軸穴１９ａの下方に偏倚して配置されるズームレンズ部１９ｂと、ズームレンズ部１９ｂの斜め右下部に突出する突起１９ｅと、軸穴１９ａの左方に突出して配置されるカムフォロア部１９ｃとを有している。上記カムフォロア部１９ｃは、ファインダ組み付け状態にて第２カム１５のカム面１５ｂに常時当接し、摺動可能であり、カム面１５ｂによりＺ′方向に駆動される。
【００３５】
上記レンズ付勢バネ２１は、図１１のバネ自由状態図に示すような捻り可能な圧縮コイルバネであって、両端のフック部２１ａ，２１ｂがコイル芯（軸心）と直交するコイル端面に対して両外側に所定角度θだけ傾斜して設けられる。このレンズ付勢バネは、第１，２ズームレンズ枠１８，１９のボス部１８ｆ，１９ｆ間に挿入され、フック部２１ａ，２１ｂをバネ係止部１８ｄ，１９ｄに懸架して装着される。その装着状態でレンズ付勢バネ２１には、軸方向の圧縮チャージ力、および、回転方向の捻りチャージトルクもチャージされ、さらに、フック部２１ａ，２１ｂの変形による偏倚力も作用する。
【００３６】
上記レンズ付勢バネ２１の装着状態におけるバネ付勢力の作用状態を図１３を用いて説明すると、まず、レンズ付勢バネ２１のＺ′方向の圧縮チャージ力Ｆ１  が第１，２ズームレンズ枠１８，１９のボス部１８ｆ，１９ｆ間に作用する。このチャージ力Ｆ１  により第１，２ズームレンズ枠１８，１９は、互いに離間する方向に付勢され、カムフォロア部１８ｃ，１９ｃは、上記カム面１４ｂ，１５ｂに常時当接する状態になる。したがって、第１，２ズームレンズ枠１８，１９は、Ｚ′方向のガタのない状態で上記カム面１４ｂ，１５ｂに従動してＺ′方向に進退移動する。
【００３７】
また、レンズ付勢バネ２１のＺ′軸まわりの捻りチャージトルク（捻りチャージモーメントＭ１  ）がフック部２１ａ，２１ｂを介して図１３に示すように第１，２ズームレンズ枠１８，１９の間に作用し、第２ズームレンズ枠１９に対して第１ズームレンズ枠１８をそれぞれ図４のＣ１  ，Ｃ２  方向に回動付勢する。したがって、第１，２ズームレンズ枠１８，１９の突起１８ｅ，１９ｅがそれぞれファインダ本体側のストッパ２ｂ，２ｃに常時所定の当接力で当接し、第１，２ズームレンズ枠１８，１９の軸穴１８ａ，１９ａまわりの回動ガタのない状態が得られる。なお、上記捻り方向のチャージによって生じるバネ係止部１８ｄ，１９ｄのＹ′方向の力をＦ２  とし、コイル芯からバネ係止部１８ｄ，１９ｄまでのＸ′方向の距離Ｌ１  とすると上記モーメントＭ１  の値は、Ｆ２  ×Ｌ１  である。
【００３８】
さらに、レンズ付勢バネ２１のフック部２１ａ，２１ｂが図１１に示すように、非装備時、外側に所定角度θだけ傾斜しており、該フック部をバネ係止部１８ｄ，１９ｄに懸架することにより上記角度分だけフック部２１ａ，２１ｂが撓んで、図１３に示すようにＺ′軸と直交するフック位置２１ａ′，２１ｂ′に移動する。上記撓みによってＺ′方向のバネ外側に向く付勢力Ｆ３  が生じる。コイル芯から上記フック位置２１ａ′，２１ｂ′までのＸ′方向の距離をＬ１  、Ｙ′方向の距離をＬ２  とすると、上記付勢力Ｆ３  によって、第１，２ズームレンズ枠１８，１９の軸穴１８ａ，１９ａの中心を通るＸ′軸およびＹ′軸まわりのモーメント成分として、Ｆ３  ×Ｌ２  のモーメント成分Ｍ２  （ピッチあおり）、および、Ｆ３  ×Ｌ１  のモーメント成分Ｍ３  （ヨーあおり）が作用する。
【００３９】
上述した付勢力Ｆ３  によるモーメントによって図１２に示すように第１，２ズームレンズ枠１８，１９は、軸穴１８ａ，１９ａとガイド軸２０との隙間分だけ僅かに倒れた状態で支持されることになる。この僅かな倒れによって軸穴１８ａ，１９ａとガイド軸２０との間のガタが取り除かれ、第１，２ズームレンズ枠１８，１９がガタなくＺ′方向に移動することになる。
【００４０】
次に、上述した構成を有する本実施形態のズームファインダ１におけるズーミング動作について説明する。
いま、撮影レンズ系がテレ位置にあるとすると、それに連動してズームファインダ１も上記撮影レンズ系のテレ位置に対応してファインダテレ状態にある。そのファインダテレ状態では、図１０（Ａ）に示すように駆動板１３が時計回り（Ｄ１  ）に終端位置まで回動し、駆動突起１３ｂが第１カム１４の突起１４ｅを押圧してファインダ本体ストッパ２ａに当接した状態となっている。この状態では、第１，２ズームレンズ枠１８，１９のカムフォロア部１８ｃ，１９ｃは、それぞれ第１，２カム１４，１５のカム面１４ｂ，１５ｂのテレ対応位置に当接し、ズームレンズ部１８ｂ，１９ｂは、テレ位置にある。
【００４１】
続いて、撮影レンズ系との連動ギヤ列を介して駆動ギヤ１２がワイド位置に向けて回動駆動され、駆動板１３が反時計回り（Ｄ２  ）に回動すると、第１，２カム１４，１５も一体で回動し、第１，２ズームレンズ枠１８，１９は、カム面１４ｂ，１５ｂに沿ってそれぞれのワイド位置に向けて移動する。このテレ，ワイド回動範囲のズーム駆動領域、図１０（Ａ）から（Ｂ）の間では、カム付勢バネ１７による捻りチャージモーメントｍ０  により上記突起１４ｅと駆動突起１３ｂとが離間することがなく、駆動板１３と第１，２カム１４，１５との位相ずれが生じない。
【００４２】
撮影レンズ系がワイド位置に到達したとき、第１，２ズームレンズ枠１８，１９も同時にワイド位置に到達し、図１０（Ｂ）に示すように第１カム１４の突起１４ｅがファインダ本体ストッパ２ａに当接する。その後、撮影レンズ系が沈胴位置にむけて繰り込まれると、突起１４ｅがファインダ本体ストッパ２ａに当接したまま、すなわち、第１，２カム１４，１５がワイド対応位置に停止したまま、駆動板１３は、カム付勢バネ１７の付勢モメントに抗してさらに反時計回り（Ｄ２  ）に沈胴対応位置の終端に向けて回動駆動される。すなわち、第１カム１４が停止した状態のままの状態でカム付勢バネ１７が捻り変形することにより駆動板１３の沈胴対応位置までの回動駆動を許容している。駆動板１３が沈胴対応位置の終端に到達した状態が図１０（Ｃ）に示される。
【００４３】
駆動板１３が上述とは逆に上記沈胴対応位置からワイド対応位置、さらに、テレ対応位置に回動駆動される場合は、上述の動作と逆の動作が実行される。すなわち、撮影レンズ系が沈胴位置から撮影可能なワイド位置まで繰り出されると、その繰り出しに連動して駆動板１３は、図１０（Ｃ）の位置から図１０（Ｂ）の回動位置まで時計回り（反Ｄ２  ）に回動駆動され、駆動突起１３ｂが第１カム１４の突起１４ｅに当接する。この当接時まで第１，２カム１４，１５は、ワイド対応位置に停止している。さらに、撮影レンズ系がテレ位置に向けて繰り出された場合、駆動板１３が時計回り（Ｄ１  ）に回動駆動され、駆動突起１３ｂにより突起１４ｅが同方向に押圧され、以後、一体的に時計回り（Ｄ１  ）に回動駆動される。したがって、第１，２カム１４，１５は、ワイド対応位置からテレ対応位置に向けて回動され、第１，２ズームレンズ枠１８，１９がワイド位置からテレ位置に移動する。そして、駆動板１３，第１カム１４は、図１０（Ａ）に示す回動位置まで回動する。
【００４４】
上記図１０（Ａ）から図１０（Ｂ）の間のテレ，ワイド間のファインダズーム駆動中には、カム付勢バネ１７による圧縮チャージ力ｆ０  によって第１，２カム１４，１５の接合部が離れることがない。さらに、第１，２ズームレンズ枠１８，１９間には、レンズ付勢バネ２１の捻りチャージモーメントＭ１  および圧縮チャージ力Ｆ１  が作用しているので、上記ズーム駆動中における第１，２ズームレンズ枠１８，１９のファインダ本体２に対する回転ガタ（ズームレンズの偏芯ガタに対応）が取り除かれ、同時にカム面１４ｂ，１５ｂからの第１，２ズームレンズ枠１８，１９のカムフォロア離れが防止される。また、レンズ付勢バネ２１の傾斜したフック部２１ａ，２１ｂが第１，２ズームレンズ枠１８，１９のバネ係止部１８ｄ，１９ｄに懸架されていることから第１，２ズームレンズ枠１８，１９の軸穴１８ａ，１９ａとガイド軸２０とのガタ（ズームレンズのあおりガタに対応）も取り除かれる。したがって、上記ズーム駆動中の第１，２ズームレンズ枠１８，１９の光軸Ｏｆ方向の各ズーム位置からのずれや偏芯が生じにくく、精度のよいズーム駆動がなされる。
【００４５】
上述したように本実施形態のズームファインダ１によれば、上記撮影レンズ系の沈胴動作期間には、第１，２カム１４，１５は、ファインダ本体ストッパ２ａによってその回動が規制され、駆動板１３のみを回動させるので、その規制された回動角分だけ第１，２カム１４，１５のカム面１４ｂ，１５ｂの無駄になる回動角が不要になり、カムフォロアを進退させる実効カム面部分を広ろげてカムリード角を減らすことが可能となり、また、該カム面の成型も容易になる。同時に該カム面にパーティングラインを設ける必要がなくなり、カムの駆動精度が向上する。
【００４６】
また、第１ズームレンズ枠１８，１９の間にガイド軸２０に巻回したレンズ付勢バネ２１を捻りチャージモーメントおよび圧縮チャージ力を与えた状態で挿入することにより第１ズームレンズ枠１８，１９の間のガイド軸２０中心にした回転ずれ（ズームレンズの偏芯ガタに対応）や第１ズームレンズ枠１８，１９のカムフォロア部１８ｃ，１９ｃとカム面１４ｂ，１５ｂとの離れ（ジャンプ）等の発生が防止できる。
【００４７】
さらに、上記レンズ付勢バネ２１のフック部２１ａ，２１ｂを外側に傾斜させることによって、該フック部が懸架される第１ズームレンズ枠１８，１９のバネ係止部１８ｄ，１９ｄがそれぞれ外方に押圧され、第１ズームレンズ枠１８，１９の軸穴がガイド軸２０との隙間分僅かに傾くので、第１ズームレンズ枠１８，１９をガイド軸２０とガタ（ズームレンズのあおりガタに対応）のない状態で摺動させることができる。
【００４８】
前述したように軸穴（嵌合部）とガイド軸の隙間は、温度上昇を考慮すると所定の隙間は確保しなければならない。また、コンパクト化の点から上記軸受け部をより短くする必要があるが、その結果、上記軸穴（嵌合部）とガイド軸の隙間によってズームレンズ部１８ｂ，１９ｂのあおり量は増大し、ファインダの像揺れが生じことになる。しかし、上述のようにレンズ付勢バネ２１のフック部２１ａ，２１ｂの付勢力によって上記軸穴（嵌合部）とガイド軸の隙間を詰めることによりファインダの像揺れのない、精度のよい第１ズームレンズ枠１８，１９の進退移動が可能となる。また、上述のようにレンズ付勢バネにガタ取りとカムフォロアの付勢等複数の機能を持たせることにより他の付勢バネを付加する必要がなく、構成部品点数の少ないコンパクト化が可能なズームファインダを提供できる。
【００４９】
次に、上記実施形態のズームレンズ１に適用したレンズ付勢バネ２１の変形例について図１４，１５を用いて説明する。
図１４は、上記変形例のレンズ付勢バネの自由状態を示す図であり、図１５は、上記変形例のレンズ付勢バネをズームレンズ枠間に取り付けた状態を示す図である。
【００５０】
図１４に示すように本変形例のレンズ付勢バネ３１は圧縮コイルバネであって、両端のフック部３１ａ，３１ｂがコイル芯（軸心）と直交するコイル端面に対して両内側に所定角度θだけ傾斜している。このレンズ付勢バネ３１は、上記レンズ付勢バネ２１と同様に第１，２ズームレンズ枠１８，１９のボス部１８ｆ，１９ｆ間に挿入され、フック部３１ａ，３１ｂをバネ係止部１８ｄ，１９ｄに懸架して装着される。その装着状態でレンズ付勢バネ３１には、軸方向の圧縮チャージ力、および、回転方向の捻りチャージトルクもチャージされ、さらに、フック部３１ａ，３１ｂの変形による偏倚力も作用した状態にある。
【００５１】
上記レンズ付勢バネ３１の軸方向の圧縮チャージ力により、レンズ付勢バネ２１の場合と同様に第１，２ズームレンズ枠１８，１９は、Ｚ′方向のガタのない状態で上記カム面１４ｂ，１５ｂに従動してＺ′方向に進退移動する。また、回転方向の捻りチャージトルクにより、レンズ付勢バネ２１の場合と同様に第１，２ズームレンズ枠１８，１９の突起１８ｅ，１９ｅがそれぞれファインダ本体側のストッパ２ｂ，２ｃに常時所定の当接力で当接し、第１，２ズームレンズ枠１８，１９の軸穴１８ａ，１９ａまわりの回動ガタ（ズームレンズの偏芯ガタに対応）のない状態が得られる。
【００５２】
さらに、レンズ付勢バネ３１のフック部３１ａ，３１ｂが図１４に示すように内側に所定角度θだけ傾斜しており、該フック部をバネ係止部１８ｄ，１９ｄに懸架することにより上記角度分だけフック部３１ａ，３１ｂが撓む。上記撓みによってＺ′方向のバネ内側に向く付勢力Ｆ３  ′が生じる。上記付勢力Ｆ３  によるモーメントによって図１５に示すように第１，２ズームレンズ枠１８，１９は、軸穴１８ａ，１９ａとガイド軸２０との隙間分だけ上記フック部が内側に倒れた状態で支持されることになる。この倒れによって軸穴１８ａ，１９ａとガイド軸２０との間のガタ（ズームレンズのあおりガタに対応）が取り除かれた状態で第１，２ズームレンズ枠１８，１９が移動することになる。
【００５３】
本変形例のレンズ付勢バネ３１を適用したズームファインダによると、上記一実施形態のズームファインダ１と同様の効果を奏することができる。
【００５４】
なお、上述した実施形態のズームファインダ１におけるカム部材である第１，２カム１４，１５の全回動角としては、３６０°に近い角度を有するカムであるが、この全回動角を３６０°以上にする必要がある場合、第１カム１４の突起１４ｅとファインダ本体ストッパ２ａ間に介在し、突起１４ｅと所定角度相対回転可能な回動板部材を設けることにより上記全回動角を３６０°以上とすることができる。
【００５５】
また、上記実施形態は、ズームファインダに適用した例を示したが、これに限らず、ズーム式撮影レンズ光学装置にも同様の構成を適用することができる。
【００５６】
【発明の効果】
上述のように本発明によれば、コイルバネのみで、ズームレンズの偏芯およびあおりがたの発生が防止されるので、ガタ取りのための専用バネ等の部品を追加する必要がなく、小型化を維持したまま、安定した像を観察することが可能であり、必要な配置スペ−スも少ないコンパクト化が可能なズーム光学装置を提供することができる。
【図面の簡単な説明】
【図１】本発明の一実施形態のズーム光学装置としてのズームファインダの概略の配置を示す図であって、ズームファインダを底面側から見た模式的斜視図である。
【図２】上記図１のズームファインダの要部をカメラ底面側から見たときの分解斜視図である。
【図３】上記図２のズームファインダを構成するファインダ駆動機構部とファインダ光学系部をカメラ底面側から見た下面図である。
【図４】上記図３のファインダ光学系部をカメラ底面側から見た斜視図である。
【図５】上記図３のファインダ駆動機構部における第１カムの一部の展開図である。
【図６】上記図５のＢ−Ｂ断面図である。
【図７】上記図３のファインダ駆動機構部における第２カムの一部の展開図である。
【図８】上記図７のＣ−Ｃ断面図である。
【図９】上記図３のファインダ駆動機構部における第１，２カムのカム結合部の断面図である。
【図１０】上記ファインダ光学系部における第１カムと駆動板の各回転状態を示す図である図３のＡ−Ａ断面図であって、図１０（Ａ）は、テレ回動位置にあるとき、図１０（Ｂ）は、ワイド回動位置にあるとき、図１０（Ｃ）は、第１カムがワイド回動位置に止まり、駆動板が沈胴対応位置まで回動した状態を示す。
【図１１】上記図３のファインダ光学系部におけるレンズ付勢バネの自由状態を示す図である。
【図１２】上記図１１のレンズ付勢バネを装着した状態を示す図である。
【図１３】上記図１１のレンズ付勢バネにおける力の作用状態を示す図である。
【図１４】上記図３のファインダ光学系部におけるレンズ付勢バネの変形例であるレンズ付勢バネの自由状態を示す図である。
【図１５】上記図１４の変形例のレンズ付勢バネを装着した状態を示す図である。
【符号の説明】
１４ｂ，１５ｂ
…カム面（カム部）
１８ａ，１９ａ
…軸穴（嵌合穴）
１８ｂ，１９ｂ
…ズームレンズ部（ズームレンズ）
１８ｆ，１９ｆ
…ボス部（嵌合部）
２０  …ガイド軸
２１，３１
…レンズ付勢バネ（コイルバネ）
２１ａ，２１ｂ，３１ａ，３１ｂ
…フック部
【図１】
2004264699.tif 000003
【図２】
2004264699.tif 000004
【図３】
2004264699.tif 000005
【図４】
2004264699.tif 000006
【図５】
2004264699.tif 000007
【図６】
2004264699.tif 000008
【図７】
2004264699.tif 000009
【図８】
2004264699.tif 000010
【図９】
2004264699.tif 000011
【図１０】
2004264699.tif 000012
【図１１】
2004264699.tif 000013
【図１２】
2004264699.tif 000014
【図１３】
2004264699.tif 000015
【図１４】
2004264699.tif 000016
【図１５】
2004264699.tif 000017